【事件の表示】
　平成１０年特許願第１６６７６８号「保湿性化粧料」拒絶査定不服審判事件〔平成１２年　１月　７日出願公開、特開２０００−　　１４２２〕について、次のとおり審決する。
【結　論】
　本件審判の請求は、成り立たない。
【理　由】
１．手続の経緯・本願発明
　本願は、平成１０年６月１５日の出願であって、その請求項１に係る発明は平成２０年１０月１７日付けの手続補正書の特許請求の範囲の請求項１に記載された事項により特定される次のとおりのものである。
　
「【請求項１】実質的にアルコールを含有しない水系において、常温で液状またはペースト状のデカグリセリン脂肪酸エステルの少なくとも１種以上を保湿剤として用いる方法。」（以下、「本願発明」という。）
　
　上記の請求項１における「アルコール」の用語は、広義には「炭化水素の水素原子を水酸基で置換したかたちの化合物の総称」であるが、一般に単に「アルコール」と言えば「エタノール」を指す場合もある。
　そこで、本願発明の「実質的にアルコールを含有しない水系」における「アルコール」が何れの意味であるのかを検討するに、本願明細書の段落【００１１】、【００１２】の記載によれば「…本発明において、水溶性多価アルコールを更に加えると、使用時のべたつき感が軽減されるとともに、ポリグリセリン脂肪酸エステルの高次構造が更に安定化されることから好ましい。…ここで用いる水溶性多価アルコールは、分子内に水酸基を２個以上有する化合物であり」の記載からすると、水溶性多価アルコールは本願発明の「アルコール」には含まれないことは明らかである。そして、本願明細書に記載の実施例はすべてエタノールを含まず、エタノールを含む配合例が比較例（比較例２、４）とされていること、実施例２にはグリセリン、実施例３乃至５には、一価のアルコールであるセタノールや多価アルコールであるジプロピレングリコール、１，３−ブチレングリコール、ソルビトール、マルチトールなどを含む処方が実質的にアルコールを含有しない水系の例として示されていることからすると、本願発明における「アルコール」は単に「エタノール」を意味するものであることが明らかである。
　
２．引用例の記載の概要
　当審で通知した拒絶の理由に引用された刊行物である特開平７−１３３２０８号公報（以下、「引用例ア」という。）、及び特許第２６０３５２９号公報（以下、「引用例イ」という。）には以下の事項が記載されている。
　
　引用例ア；
（ア−１）「従来より、皮膚の保湿に有効な成分を化粧料に配合する試みがなされている。すなわち、下記の物質が保湿剤として用いられている。
……
両親媒性物質：ポリグリセリン脂肪酸エステル……などは保湿剤として活用されている。
……しかしながら、従来の保湿剤の保湿効果は、未だ十分なものではなく、単独あるいは２種以上の物質を適宜組み合わせて用いられてきたが、満足すべき保湿効果は得られていなかった。」（段落【０００２】【０００３】、２頁１欄１０〜３９行）
（ア−２）「また、併用する保湿剤としては特に制限はないが、例えば……ポリグリセリン脂肪酸エステル……などの両親媒性物質などがある。」（段落【００１０】、２頁２欄４０〜４８行）
　
　引用例イ；
（イ−１）「従来の技術および課題
　……
　グリセリンが皮膚に対して高い保湿性を有することはよく知られている。しかしながら、グリセリンを用いた製剤については、未だ製剤化技術の面で十分ではない。
　すなわち、グリセリンを配合した製剤はグリセリン特有のべたつきがあり、またグリセリン濃度が10重量％を超えると乳化が困難となり、化粧料として好ましくない。
　そこで本発明者は、グリセリンを高濃度に配合する製剤化技術について検討を行った結果、グリセリンにポリグリセリン脂肪酸エステルを組み合わせることにより、保湿性が高く、使用感、安定性にも優れた化粧料が得られることを知り本発明を完成するに至った。」（２頁３欄１１行〜同頁４欄２行）
（イ−２）「ポリグリセリン脂肪酸エステルとしては、例えば……ジイソステアリン酸デカグリセリル、トリオレイン酸デカグリセリル、モノラウリン酸デカグリセリル、……などが挙げられる。」（２頁３欄２８〜３４行）
（イ−３）
実施例１（クリーム）
成　　分
重量％
グリセリン　　　　　　　　　　　　　　　　　　25.0
トリエタノールアミン　　　　　　　　　　　　　 0.5
カルボキシビニルポリマー　　　　　　　　　　　 0.2
パラオキシ安息香酸エチル　　　　　　　　　　　 0.2
β−シクロデキストリン　　　　　　　　　　　　 0.2
精　製　水　　　　　　　　　　　　　　　　　　残部
モノオレイン酸デカグリセリル　　　　　　　　　 3.5
スクワラン　　　　　　　　　　　　　　　　　　 7.0
ステアリン酸　　　　　　　　　　　　　　　　　 3.0
セタノール　　　　　　　　　　　　　　　　　　 3.0
トリ（カプリル・カプリン酸）グリセリン　　　　 4.0
親油型モノステアリン酸グリセリン　　　　　　　 3.0
香　　料　　　　　　　　　　　　　　　　　　　 0.2
実施例２（乳液）
成　　分
重量％
グリセリン　　　　　　　　　　　　　　　　　　15.0
トリエタノールアミン0.7
カルボキシビニルポリマー　　　　　　　　　　　 0.3
パラオキシ安息香酸エチル　　　　　　　　　　　 0.2
β−シクロデキストリン　　　　　　　　　　　　 0.6
精　製　水　　　　　　　　　　　　　　　　　　残部
ジイソステアリン酸デカグリセリル　　　　　　　 2.5
ステアリン酸　　　　　　　　　　　　　　　　　 2.0
流動パラフィン　　　　　　　　　　　　　　　　 3.5
トリオクタン酸グリセリル　　　　　　　　　　　 2.5
モノステアリン酸グリセリン　　　　　　　　　　 1.0
親油型モノステアリン酸グリセリン　　　　　　　 2.0
香　料　　　　　　　　　　　　　　　　　　　　微量
……
実施例５（乳液）
成　　分
重量％
グリセリン　　　　　　　　　　　　　　　　　　35.0
モノイソステアリン酸デカグリセリル　　　　　　 4.0
α−シクロデキストリン　　　　　　　　　　　　 0.8
パラオキシ安息香酸メチル　　　　　　　　　　　 0.3
キサンタンガム　　　　　　　　　　　　　　　　 1.2
水酸化カリウム　　　　　　　　　　　　　　　　 0.2
精　製　水　　　　　　　　　　　　　　　　　　残部
トリオレイン酸デカグリセリル　　　　　　　　　 1.0
トリステアリン酸ヘキサグリセリル　　　　　　　 3.5
セスキステアリン酸ソルビタン　　　　　　　　　 1.5
ステアリン酸　　　　　　　　　　　　　　　　　 1.5
ベヘニルアルコール　　　　　　　　　　　　　　 1.0
オクタン酸セチル　　　　　　　　　　　　　　　 3.0
スクワラン　　　　　　　　　　　　　　　　　　 3.0
パラオキシ安息香酸プロピル　　　　　　　　　　 0.1
香　　　料　　　　　　 
（２頁４欄３８行〜３頁５欄１７行、同頁５欄３８行〜同頁６欄１３行）
　
３．対比判断
　引用例イには、ポリグリセリン脂肪酸エステルの１種であるデカグリセリン脂肪酸エステルを配合したクリームあるいは乳液の状態の化粧料の処方例、実施例１、２、５（摘示事項（イ−３））が記載されている。
　上記の各実施例で使用されているモノオレイン酸デカグリセリル、ジイソステアリン酸デカグリセリル、モノイソステアリン酸デカグリセリル、トリオレイン酸デカグリセリルはグリセリンの重合度が１０であり、NIKKOL Product list for cosmetics（NIKKO CHEMICALS CO.,LTD.発行、ｐ．７〜８、請求人が平成１７年９月１日付け審判請求書に添付した参考資料１ ）によれば何れも常温で液状の物質である。
　そして、引用例イの各実施例のクリームや乳液は、精製水の配合割合が大きく水系といえるものであって、しかもエタノールは配合されていないから、本願発明にいう「実質的にアルコールを含有しない水系」である。
　してみれば、引用例イには、
「実質的にアルコールを含有しない水系において、常温で液状のデカグリセリン脂肪酸エステルを皮膚化粧料の成分として用いる方法。」（以下、「引用発明」という。）が記載されているということができる。
　そこで、本願発明と引用発明とを対比すると、両者は、「実質的にアルコールを含有しない水系において、常温で液状のデカグリセリン脂肪酸エステルの少なくとも１種以上を皮膚化粧料の成分として用いる方法。」である点で一致し、本願発明は、常温で液状のデカグリセリン脂肪酸エステルの少なくとも１種以上を保湿剤として用いるのに対し、引用発明においては、この点が明記されていない点（相違点）で相違する。
　そこで以下この相違点につき検討する。
　引用例イにおいて、ポリグリセリン脂肪酸は、保湿成分であるグリセリンと組み合わせることにより、グリセリン特有のべたつき等を改善し、保湿性が高く、使用感、安定性にも優れた化粧料が得られること（摘示事項（イー１））が記載されている。
　一方、引用例アには、従来の保湿剤の保湿効果は、未だ十分なものではなく、２種以上の物質の組み合わせも行われてきたこと、ポリグリセリン脂肪酸エステルも保湿剤として用いられる物質であること（摘示事項（アー１）、（アー２））が示されている。
　そうすると、ポリグリセリン脂肪酸エステルの１種である引用例イの常温で液状のデカグリセリン脂肪酸エステルは、グリセリンに対するべたつき防止作用のほか、保湿作用も奏しており、それを添加したことが当該化粧料が示す「高い保湿作用」に寄与していることは当業者であれば容易に予測しうるところである。
　したがって、引用例イの方法において常温で液状のデカグリセリン脂肪酸エステルの有する保湿作用に着目し、保湿剤としての使用上の意義を見いだすことは当業者であれば容易になしうることである。
　また、本願発明の効果にしても、上記の常温で液状のデカグリセリン脂肪酸エステルの保湿作用、べたつき防止作用は引用例ア、イにすでに開示されているのであるから、当業者が容易に予測し得る範囲内のものである。
　したがって、本願発明は引用例ア及びイに記載された発明に基づいて当業者が容易に発明することができたものである。
　
４．むすび
　以上のとおりであるから、本願発明は引用例ア及びイに記載された発明に基づいて、当業者が容易に発明をすることができたものであり、特許法第２９条第２項の規定により特許を受けることができない。
　よって、結論のとおり審決する。